(57)【要約】【課題】エンドユーザが表示画面の表示状態を、容易に調整することができる画質調整装置、携帯端末装置及びプログラムを提供する。【解決手段】メモリ９には、調整用画像データ５１が格納されている。ＣＰＵ７は、調整用画像データ５１に対応する映像信号を生成する。補正部１３は、ＣＰＵ７で生成された映像信号を、画質を補正する補正特性に従って補正する。操作部６には、所定方向に並んで配設された一対の操作キーが設けられている。ＣＰＵ７は、一対の操作キーの操作入力に従って、補正パラメータレジスタ１３１に設定された一の補正パラメータの設定値を増減させる。表示部１５は、設定値が変更された補正パラメータで補正された映像信号に対応する画像を表示する。【選択図】図１１
2009237373.tif 000002
【特許請求の範囲】
【請求項１】
表示画像の画質を調整する画質調整装置であって、
前記画質調整用の画像データを格納する記憶部と、
前記画像データに対応する映像信号を生成する映像信号処理部と、
前記映像信号処理部で生成された映像信号を、前記画質を補正する補正特性に従って補正する補正部と、
所定方向に並んで配設された一対の操作キーを有する操作部と、
前記一対の操作キーの操作入力に従って、前記補正特性を規定する複数の補正パラメータのうち、一の補正パラメータの値を増減させるパラメータ変更部と、
前記補正部によって補正された映像信号に対応する画像を表示する表示部と、を備える画質調整装置。
【請求項２】
前記パラメータ変更部は、
前記一対の操作キーのうち、一方の操作キーが操作されると、前記一の補正パラメータの値を増加させ、
前記一対の操作キーのうち、他方の操作キーが操作されると、前記一の補正パラメータの値を減少させることを特徴とする請求項１に記載の画質調整装置。
【請求項３】
前記操作部は、
上下方向に配設された第１の一対の操作キーと、左右方向に配設された第２の一対の操作キーとを有し、
前記パラメータ変更部は、
前記第１の一対の操作キーが操作されると、前記複数の補正パラメータのうち、第１の補正パラメータの値を増減させ、
前記第２の一対の操作キーが操作されると、前記複数の補正パラメータのうち、第２の補正パラメータの値を増減させることを特徴とする請求項１に記載の画質調整装置。
【請求項４】
前記補正部は、
前記一の補正パラメータの値がそれぞれ異なる複数の補正特性各々に従って、前記映像信号を補正することにより、複数の補正された映像信号を生成し、
前記表示部は、
前記複数の補正された映像信号にそれぞれ対応する複数の画像を同時に表示することを特徴とする請求項１に記載の画質調整装置。
【請求項５】
前記表示部は、
前記複数の画像を、前記一の補正パラメータの値に従った順序で、上下方向又は左右方向に並べて表示することを特徴とする請求項４に記載の画質調整装置。
【請求項６】
前記パラメータ変更部は、
前記一対の操作キーの操作入力により、前記複数の画像にそれぞれ対応する前記一の補正パラメータの値を連動して増減させることを特徴とする請求項５に記載の画質調整装置。
【請求項７】
前記一対の操作キーのうち、前記表示部において、前記一の補正パラメータの値が最大である画像が表示されている側に配設された操作キーが操作されると、
前記パラメータ変更部は、前記複数の画像にそれぞれ対応する前記一の補正パラメータの値を連動して増加させ、
前記一対の操作キーのうち、前記表示部において、前記一の補正パラメータの値が最小である画像が表示されている側に配設された操作キーが操作されると、
前記パラメータ変更部は、前記複数の画像にそれぞれ対応する前記一の補正パラメータの値を連動して減少させることを特徴とする請求項６に記載の画質調整装置。
【請求項８】
前記操作部は、
上下方向に配設された第１の一対の操作キーと、左右方向に配設された第２の一対の操作キーとを有し、
前記パラメータ変更部は、
前記第１の一対の操作キーが操作されると、前記複数の補正パラメータのうち、第１の補正パラメータの値を増減させ、
前記第２の一対の操作キーが操作されると、前記複数の補正パラメータのうち、第２の補正パラメータの値を増減させることを特徴とする請求項４に記載の画質調整装置。
【請求項９】
前記操作部の操作入力により、前記一の補正パラメータの値を決定するパラメータ決定部をさらに備え、
前記パラメータ決定部は、
前記複数の画像のうち、前記表示部の中央に表示された画像に対応する補正パラメータの値を、その補正パラメータの値として決定し、
前記補正部は、
前記補正パラメータの値を、前記パラメータ決定部によって決定された値とした補正特性に従って、入力された映像信号を補正することを特徴とする請求項４乃至８のいずれか一項に記載の画質調整装置。
【請求項１０】
周囲の照度を検出する照度検出部と、
複数の照度範囲各々に対応する前記一の補正パラメータの値を記憶するパラメータ記憶部と、
前記操作部の操作入力により、前記一の補正パラメータの値を決定するパラメータ決定部と、をさらに備え、
前記パラメータ決定部は、
決定された値を、前記照度検出部によって検出された照度が属する照度範囲に対応する前記一の補正パラメータの値として、前記パラメータ記憶部に格納し、
前記補正部は、
前記パラメータ記憶部から、前記照度検出部によって検出された照度が属する照度範囲に対応する前記複数の補正パラメータの値を読み出し、
前記複数の補正パラメータの値を、読み出された値とした補正特性に従って、入力された映像信号を補正することを特徴とする請求項１乃至８のいずれか一項に記載の画質調整装置。
【請求項１１】
請求項１乃至１０のいずれか一項に記載の画質調整装置を備える携帯端末装置。
【請求項１２】
表示装置に表示される画像の画質を補正する補正装置を調整する手順をコンピュータに実行させるプログラムであって、
前記画質調整用の画像データに対応する映像信号を生成して前記補正装置に入力することにより、前記補正装置で画質が補正された映像信号に対応する画像を、前記表示装置に表示させる第１の手順と、
前記補正装置の補正特性を規定する複数の補正パラメータのうち、一の補正パラメータの値を、所定方向に並んで配設された一対の操作入力に従って増減させる第２の手順と、
前記一の補正パラメータが変更される度に、前記画像データに対応する映像信号を前記補正装置に入力することにより、前記補正装置で画質が補正された映像信号に対応する画像を、前記表示装置に表示させる第３の手順と、をコンピュータに実行させるプログラム。
【発明の詳細な説明】
【技術分野】
【０００１】
本発明は、表示画像の画質を調整する画質調整装置、その画像調整装置を備える携帯端末装置及び表示画像の画質を調整する手順をコンピュータに実行させるプログラムに関する。
【背景技術】
【０００２】
表示装置に表示される画像の輝度を、センサを用いて計測し、その計測値に基づいて所望の階調表現で画像が表示されるように、表示装置のブライト調整を行う調整装置が提案されている（例えば、特許文献１参照）。また、センサを用いず、グレイスケールやカラーパッチを表示させて最適なデバイスプロファイルを作成し、カラーマッチングを行う画像処理装置が提案されている（例えば、特許文献２参照）。
【０００３】
【特許文献１】特開２００２−９９２６５号公報（第３頁、段落［００１９］〜［００２３］及び図１等）
【特許文献２】特開平７−２８５２４１号公報（第５頁、段落［００４２］〜［００４３］及び図１等）
【発明の開示】
【発明が解決しようとする課題】
【０００４】
しかしながら、上記特許文献１記載の調整装置では、表示装置に表示される画像の輝度を計測するセンサと、そのセンサの検出値に基づく表示装置のブライトの調整作業が必要となる。また、センサを製品に同梱すると直材費がアップする。また、製造時にそのような調整作業が必要となる分、製造コストがアップする。
【０００５】
また、上記特許文献２記載の画像処理装置では、調整にセンサは不要であるが、グレイスケールがリニアである点、各階調に色付きがある点、さらには、彩度の飽和を識別するには熟練を要する点などから、エンドユーザが正確なカラーマッチングを行うのには困難さが伴う。この困難さ故、表示画像が、却って不自然な階調、彩度に調整されてしまうことがある。
【０００６】
本発明は、上記事情に鑑みてなされたもので、エンドユーザが、表示画像の画質を、容易に調整することができる画質調整装置、携帯端末装置及びプログラムを提供することを目的とする。
【課題を解決するための手段】
【０００７】
上記目的を達成するために、本発明の第１の観点に係る画質調整装置は、表示画像の画質を調整する画質調整装置であって、前記画質調整用の画像データを格納する記憶部と、前記画像データに対応する映像信号を生成する映像信号処理部と、前記映像信号処理部で生成された映像信号を、前記画質を補正する補正特性に従って補正する補正部と、所定方向に並んで配設された一対の操作キーを有する操作部と、前記一対の操作キーの操作入力に従って、前記補正特性を規定する複数の補正パラメータのうち、一の補正パラメータの値を増減させるパラメータ変更部と、前記補正部によって補正された映像信号に対応する画像を表示する表示部と、を備える。
【０００８】
この場合、前記パラメータ変更部は、前記一対の操作キーのうち、一方の操作キーが操作されると、前記一の補正パラメータの値を増加させ、前記一対の操作キーのうち、他方の操作キーが操作されると、前記一の補正パラメータの値を減少させることとしてもよい。
【０００９】
また、前記操作部は、上下方向に配設された第１の一対の操作キーと、左右方向に配設された第２の一対の操作キーとを有し、前記パラメータ変更部は、前記第１の一対の操作キーが操作されると、前記複数の補正パラメータのうち、第１の補正パラメータの値を増減させ、前記第２の一対の操作キーが操作されると、前記複数の補正パラメータのうち、第２の補正パラメータの値を増減させることとしてもよい。
【００１０】
また、前記補正部は、前記一の補正パラメータの値がそれぞれ異なる複数の補正特性各々に従って、前記映像信号を補正することにより、複数の補正された映像信号を生成し、前記表示部は、前記複数の補正された映像信号にそれぞれ対応する複数の画像を同時に表示することとしてもよい。
【００１１】
この場合、前記表示部は、前記複数の画像を、前記一の補正パラメータの値に従った順序で、上下方向又は左右方向に並べて表示することとしてもよい。
【００１２】
この場合、前記パラメータ変更部は、前記一対の操作キーの操作入力により、前記複数の画像にそれぞれ対応する前記一の補正パラメータの値を連動して増減させることとしてもよい。
【００１３】
この場合、前記一対の操作キーのうち、前記表示部において、前記一の補正パラメータの値が最大である画像が表示されている側に配設された操作キーが操作されると、前記パラメータ変更部は、前記複数の画像にそれぞれ対応する前記一の補正パラメータの値を連動して増加させ、前記一対の操作キーのうち、前記表示部において、前記一の補正パラメータの値が最小である画像が表示されている側に配設された操作キーが操作されると、前記パラメータ変更部は、前記複数の画像にそれぞれ対応する前記一の補正パラメータの値を連動して減少させることとしてもよい。
【００１４】
また、前記操作部は、上下方向に配設された第１の一対の操作キーと、左右方向に配設された第２の一対の操作キーとを有し、前記パラメータ変更部は、前記第１の一対の操作キーが操作されると、前記複数の補正パラメータのうち、第１の補正パラメータの値を増減させ、前記第２の一対の操作キーが操作されると、前記複数の補正パラメータのうち、第２の補正パラメータの値を増減させることとしてもよい。
【００１５】
また、前記操作部の操作入力により、前記一の補正パラメータの値を決定するパラメータ決定部をさらに備え、前記パラメータ決定部は、前記複数の画像のうち、前記表示部の中央に表示された画像に対応する補正パラメータの値を、その補正パラメータの値として決定し、前記補正部は、前記補正パラメータの値を、前記パラメータ決定部によって決定された値とした補正特性に従って、入力された映像信号を補正することとしてもよい。
【００１６】
また、周囲の照度を検出する照度検出部と、複数の照度範囲各々に対応する前記一の補正パラメータの値を記憶するパラメータ記憶部と、前記操作部の操作入力により、前記一の補正パラメータの値を決定するパラメータ決定部と、をさらに備え、前記パラメータ決定部は、決定された値を、前記照度検出部によって検出された照度が属する照度範囲に対応する前記一の補正パラメータの値として、前記パラメータ記憶部に格納し、前記補正部は、前記パラメータ記憶部から、前記照度検出部によって検出された照度が属する照度範囲に対応する前記複数の補正パラメータの値を読み出し、前記複数の補正パラメータの値を、読み出された値とした補正特性に従って、入力された映像信号を補正することとしてもよい。
【００１７】
また、本発明の第２の観点に係る携帯端末装置は、本発明の画質調整装置を備える。
【００１８】
また、本発明の第３の観点に係るプログラムは、表示装置に表示される画像の画質を補正する補正装置を調整する手順をコンピュータに実行させるプログラムであって、前記画質調整用の画像データに対応する映像信号を生成して前記補正装置に入力することにより、前記補正装置で画質が補正された映像信号に対応する画像を、前記表示装置に表示させる第１の手順と、前記補正装置の補正特性を規定する複数の補正パラメータのうち、一の補正パラメータの値を、所定方向に並んで配設された一対の操作入力に従って増減させる第２の手順と、前記一の補正パラメータが変更される度に、前記画像データに対応する映像信号を前記補正装置に入力することにより、前記補正装置で画質が補正された映像信号に対応する画像を、前記表示装置に表示させる第３の手順と、をコンピュータに実行させる。
【発明の効果】
【００１９】
本発明によれば、エンドユーザが、表示画像の画質を容易に調整することができる。
【発明を実施するための最良の形態】
【００２０】
≪第１の実施形態≫
次に、本発明の第１の実施形態について図面を参照して詳細に説明する。図１には、本実施形態に係る携帯端末装置としての携帯電話１００の内部構成が示され、図２には、図１の携帯電話１００の外観が示されている。
【００２１】
図１に示されるように、携帯電話１００は、通信アンテナ１と、無線回路２と、符号復号処理回路３と、マイク４と、レシーバ５と、操作部６と、ＣＰＵ７と、ＣＰＵバス８と、メモリ９と、デジタルアナログコンバータ（ＤＡＣ）１０と、スピーカ１１と、ビデオインターフェイス（Ｉ／Ｆ）１２と、補正部１３と、ビデオＩ／Ｆ１４と、表示部１５とを備えている。
【００２２】
通信アンテナ１は、送受信アンテナである。通信アンテナ１は、無線回路２から出力された高周波電気信号を電波に変換して図示しない基地局に向けて発信するとともに、その基地局から発信され、空中を伝送される電波を受信する。通信アンテナ１で受信された電波は、高周波電気信号に変換され、無線回路２に入力される。
【００２３】
無線回路２は、符号復号処理回路３からの出力信号を変調し、高周波電気信号に変換して通信アンテナ１に出力するとともに、通信アンテナ１から出力された高周波電気信号を復調し、符号復号処理回路３へ出力する。
【００２４】
符号復号処理回路３には、マイク４と、レシーバ５とが接続されている。符号復号処理回路３は、マイク４から出力された音声信号を符号化して、無線回路２に出力するとともに、無線回路２からの出力信号を復号化し、復号化してレシーバ５に出力する。
【００２５】
マイク４は、集音した音声を電気信号に変換して符号復号処理回路３に出力する。また、レシーバ５は、符号復号処理回路３から出力された電気信号を音声に変換して出力する。
【００２６】
図２に示されるように、マイク４は、携帯電話１００の筐体下端に設けられており、レシーバ５は、その筐体上端に設けられている。すなわち、マイク４は、ユーザが携帯電話１００を用いて通話を行う際に、そのユーザの口付近に位置するように設けられており、ユーザの音声を効率良く集音することができるようになっている。また、レシーバ５は、ユーザが携帯電話１００を用いて通話を行う際に、そのユーザの耳付近に位置するように設けられており、ユーザがレシーバ５から出力される音声を聞き取りやすくなっている。
【００２７】
操作部６は、ユーザに対する入力インターフェイスである。図２に示されるように、操作部６は、ユーザが携帯電話１００を把持したときに、その親指で押せる位置に配置されている。操作部６には、ユーザが操作可能な操作キーが複数設けられている。操作キーには、上下左右キー６１、テンキー６２、決定キー６３などがある。図１に示されるように、各種操作キーの操作信号は、操作部６からＣＰＵ７に入力されている。
【００２８】
映像信号処理部、パラメータ変更部及びパラメータ決定部としてのＣＰＵ７は、操作部６から入力された操作信号等に従って、携帯電話１００全体を統括制御する。例えば、無線回路２及び符号復号処理回路３は、ＣＰＵ７によって制御されている。すなわち、無線回路２は、ＣＰＵ７の制御の下で、信号の変復調を行っており、符号復号処理回路３は、ＣＰＵ７の制御の下で、信号の符号化及び復号化を行っている。ＣＰＵ７は、例えば、無線回路２及び符号復号処理回路３を制御して着信待ちを行う。また、ＣＰＵ７は、操作部６からの操作信号が、発信指令である場合には、無線回路２及び符号復号処理回路３を制御して発信を行う。
【００２９】
ＣＰＵバス８は、ＣＰＵ７と、メモリ９、ＤＡＣ１０、スピーカ１１とを接続する内部バスである。メモリ９には、ＣＰＵ７によって実行されるプログラムが格納されている。ＣＰＵ７は、ＣＰＵバス８を介してメモリ９からプログラムを読み込み、そのプログラムを実行することにより、携帯電話１００全体を統括制御する。
【００３０】
ＤＡＣ１０は、ＣＰＵ７から出力されたデジタル信号をアナログ信号に変換する。スピーカ１１は、ＤＡＣ１０で変換されたアナログ信号を音声に変換して出力する。
【００３１】
ビデオＩ／Ｆ１２は、ＣＰＵ７と補正部１３とを接続している。ＣＰＵ７で生成された映像信号を、ビデオＩ／Ｆ１２を介して補正部１３に出力する。
【００３２】
補正部１３は、ＣＰＵ７からビデオＩ／Ｆ１２を介して入力された映像信号を、その補正特性に従って補正する。
【００３３】
図３には、補正部１３の構成が示されている。図３に示されるように、補正部１３は、ＹＵＶ変換回路１３２と、彩度・色相変換回路１３３と、彩度補正回路１３４と、色相補正回路１３５と、色差変換回路１３６と、ブライト補正回路１３７と、コントラスト補正回路１３８と、ガンマ補正回路１３９と、ＲＧＢ変換回路１３１０と、色温度補正回路１３１１と、補正パラメータレジスタ１３１と、を備えている。
【００３４】
ＹＵＶ変換回路１３２は、ＣＰＵ７からビデオＩ／Ｆ１２を介して入力された映像信号としてのＲＧＢ形式の信号（ＲＧＢ信号）Ｒ１、Ｇ１、Ｂ１を、以下の式（１）〜式（３）に示される演算式を用いて、輝度信号Ｙ１、色差信号Ｕ１、色差信号Ｖ１に変換して出力する。
【００３５】
Y１=0.290×R１+0.5870×G１+0.1140×B１  …（１）
U１=(-0.1687)×R１+(-0.3313)×G１+0.5000×B１  …（２）
V１＝0.5000×R１+(-0.4187)×G１+(-0.0813)×B１  …（３）
【００３６】
ＹＵＶ変換回路１３２から出力された輝度信号Ｙ１は、ブライト補正回路１３７に入力される。ブライト補正回路１３７は、入力された輝度信号Ｙ１にオフセットαを加算することにより、輝度信号Ｙ１を補正する。補正された輝度信号Ｙ１は、輝度信号Ｙ２として出力される。図４には、輝度信号Ｙ１と輝度信号Ｙ２との関係の一例が示されている。図４に示されるように、ブライト補正回路１３７の補正により、輝度信号Ｙ１に対して輝度信号Ｙ２は、オフセットαだけシフトする。オフセットαの値が０であるときには、輝度信号Ｙ２は、輝度信号Ｙ１と同一となる。以下では、このオフセットαを、ブライト補正パラメータαと呼ぶ。このブライト補正パラメータαが、ブライト補正回路１３７の補正特性を規定する補正パラメータである。後述するように、ブライト補正パラメータαは、その値を変更することができるようになっている。
【００３７】
ブライト補正回路１３７から出力された輝度信号Ｙ２は、コントラスト補正回路１３８に入力される。コントラスト補正回路１３８は、輝度信号Ｙ２のコントラストを補正する。コントラストが補正された輝度信号Ｙ２は、輝度信号Ｙ３として出力される。図５には、輝度信号Ｙ２と輝度信号Ｙ３との関係の一例が示されている。図５に示されるように、輝度信号Ｙ２と輝度信号Ｙ３とは、比例係数βで示される比例関係にある。この比例係数βが１であれば、輝度信号Ｙ３は、輝度信号Ｙ２と同一となる。比例係数βが１より大きくなれば、表示画像のコントラストは大きくなり、比例係数βが１より小さくなれば、表示画像のコントラストは小さくなる。この比例係数βを、コントラスト補正パラメータβと呼ぶ。以下では、この比例係数βを、コントラスト補正パラメータと呼ぶ。このコントラスト補正パラメータβが、コントラスト補正回路１３８の補正特性を規定する補正パラメータである。後述するように、コントラスト補正パラメータβは、その値を補正することができるようになっている。
【００３８】
コントラスト補正回路１３８から出力された輝度信号Ｙ３は、ガンマ補正回路１３９に入力される。ガンマ補正回路１３９は、輝度信号Ｙ３に対してガンマ補正を行う。ガンマ補正された輝度信号Ｙ３は、輝度信号Ｙ４として出力される。図６（Ａ）、図６（Ｂ）には輝度信号Ｙ３と輝度信号Ｙ４との関係、すなわちガンマ補正回路１３９の補正特性の一例が示されている。図６（Ａ）、図６（Ｂ）に示されるように、ガンマ補正回路１３９の補正により、輝度信号Ｙ３と輝度信号Ｙ４との関係は非線形となる。
【００３９】
ガンマ補正回路１３９の補正特性は、補正パラメータとしての第１ガンマ係数γ１、第２ガンマ係数γ２によって規定される。図６（Ａ）には、第１ガンマ係数γ１によって規定される補正特性が示されている。第１ガンマ係数γ１が、０である場合には、輝度信号Ｙ３と輝度信号Ｙ４との関係は線形となる。第１ガンマ係数γ１の値が＋方向に大きくなればなるほど、輝度信号Ｙ３と輝度信号Ｙ４との関係を示す曲線は、中間輝度を中心にして上側に持ち上げられ、大きくカーブするようになる。また、第１ガンマ係数γ１の値が−方向に大きくなればなるほど、その曲線は、中間輝度を中心にして下側に折れ曲がり、大きくカーブするようになる。
【００４０】
図６（Ｂ）には、第２ガンマ係数γ２によって規定される補正特性が示されている。第２ガンマ係数γ２は、低輝度側と高輝度側とで、補正特性に変化をつけるために設けられている。第２ガンマ係数γ２が０である場合には、低輝度側と高輝度側とで補正特性に変化はない。第２ガンマ係数γ２の値が＋方向に大きくなればなるほど輝度信号Ｙ３と輝度信号Ｙ４との関係を示す曲線は、低輝度側が上に持ち上げられ、高輝度側が下に折り曲げられるようになる。また、第２ガンマ係数γ２の値が−方向に大きくなればなるほど輝度信号Ｙ３と輝度信号Ｙ４との関係を示す曲線は、高輝度側が上に持ち上げられ、低輝度側が下に折れ曲がるようになる。
【００４１】
後述するように、第１ガンマ係数γ１、第２ガンマ係数γ２は、その値を変更することができるようになっている。
【００４２】
図３に戻り、ＹＵＶ変換回路１３２から出力された色差信号Ｕ１、色差信号Ｖ１は、彩度・色相変換回路１３３に入力される。彩度・色相変換回路１３３は、ＹＵＶ変換回路１３２から出力された色差信号Ｕ１、Ｖ１を、彩度信号Ｓ１と色相信号Ｈ１に変換する。
【００４３】
図７（Ａ）、図７（Ｂ）には、色差信号Ｕ１、Ｖ１と彩度信号Ｓ１、色相信号Ｈ１との関係を説明するための特性図が示されている。図７（Ａ）において、縦軸は、色差信号Ｕ１（Ｂ−Ｙ信号）のレベルを表し、横軸は、色差信号Ｖ１（Ｒ−Ｙ信号）のレベルを表している。
【００４４】
色差信号Ｕ１、Ｖ１のベクトル和は、彩度・色相を表すベクトルとなる。すなわち、そのベクトルの大きさが彩度（すなわち彩度信号Ｓ１）となり、角度が色相（すなわち色相信号Ｈ１）となる。したがって、彩度・色相変換回路１３３は、以下の式（４）、式（５）を用いて彩度信号Ｓ１及び色相信号Ｈ１を算出して出力する。
【００４５】
【数１】
2009237373.tif 000003
【００４６】
彩度・色相変換回路１３３から出力された彩度信号Ｓ１は、彩度補正回路１３４に入力され、色相信号Ｈ１は、色相補正回路１３５に入力される。
【００４７】
彩度補正回路１３４は、彩度信号Ｓ１を補正する。補正された彩度信号Ｓ１は、彩度信号Ｓ２として色差変換回路１３６に出力される。図８には、彩度信号Ｓ１と彩度信号Ｓ２との関係の一例が示されている。図８に示されるように、彩度信号Ｓ１と彩度信号Ｓ２とは、比例関係にある。彩度補正回路１３４は、彩度信号Ｓ１に比例係数ａ１を乗算して、彩度信号Ｓ２に変換する。すなわち、彩度補正回路１３４では、比例係数ａ１が補正パラメータである。この比例係数ａ１を、彩度補正パラメータａ１とも呼ぶ。彩度補正パラメータａ１の値は、後述するように変更することができるようになっている。
【００４８】
色相補正回路１３５は、色相信号Ｈ１を補正する。補正された色相信号Ｈ１は、彩度信号Ｈ２として色差変換回路１３６に出力される。図９には、色相信号Ｈ１と色相信号Ｈ２との関係の一例が示されている。図９に示されるように、彩度補正回路１３４は、色相信号Ｈ１に角度オフセットａ２を乗算して、色相信号Ｈ２に変換する。すなわち、色相補正回路１３５では、角度オフセットａ２が補正パラメータである。この角度オフセットａ２を、色相補正パラメータａ２とも呼ぶ。色相補正パラメータａ２の値は、後述するように変更することができるようになっている。
【００４９】
本実施形態では、このようにして彩度信号Ｓ１、色相信号Ｈ１に分離し、彩度補正回路１３４、色相補正回路１３５に入力することにより、彩度と色相とを個別に補正している。
【００５０】
彩度信号Ｓ２及び色相信号Ｈ２は、色差変換回路１３６に入力されている。色差変換回路１３６は、彩度補正回路１３４からの彩度信号Ｓ２と、色相変換回路１３５からの色相信号Ｈ２を、以下の式（６）、式（７）を用いて色差信号Ｕ２、Ｖ２に変換して出力している。
【００５１】
U2=S2・COS(H2)  …（６）
V2=S2・SIN(H2)  …（７）
【００５２】
図７（Ｂ）には、彩度信号Ｓ２、色相信号Ｈ２と、色差信号Ｕ２、Ｖ２との関係が示されている。以上述べたように、彩度・色相変換回路１３３、彩度補正回路１３４、色相補正回路１３５、色差変換回路１３６を介して、図７（Ａ）に示される色差信号Ｕ１、Ｖ１が、図７（Ｂ）に示される色差信号Ｕ２、Ｖ２に変換される。
【００５３】
ＲＧＢ変換回路１３１０は、ガンマ補正回路１３９から出力された輝度信号Ｙ４と、色差変換回路１３６から出力された色差信号Ｕ２、Ｖ２とを、ＲＧＢ信号Ｒ２、Ｇ２、Ｂ２に変換して出力する。このＲＧＢ変換には、以下の式（８）〜式（１０）が用いられる。
【００５４】
R２=Y４+1.402×V２  …（８）
G２=Y４+(-0.34414)×U２+(-0.71414)×V２  …（９）
B２＝Y４+1.772×U２  …（１０）
【００５５】
ＲＧＢ信号Ｒ２、Ｇ２、Ｂ２は、色温度補正回路１３１１に入力される。色温度補正回路１３１１は、ＲＧＢ信号Ｒ２、Ｇ２、Ｂ２を補正する。補正されたＲＧＢ信号Ｒ２、Ｇ２、Ｇ２は、ＲＧＢ信号Ｒ３、Ｇ３、Ｂ３として、出力される。より具体的には、色温度補正回路１３１１は、ＲＧＢ信号Ｒ３、Ｇ３、Ｂ３各々に対して個別にレベルシフトやゲイン調整を行ってＲＧＢの輝度バランスを補正する。
【００５６】
色温度補正回路１３１１の補正特性を規定する補正パラメータのうち、調整可能な補正パラメータとして、Ｒゲイン補正パラメータと、Ｂゲイン補正パラメータとがある。図１０には、ＲＧＢ信号Ｒ２、Ｇ２、Ｂ２と補正後のＲＧＢ信号Ｒ３、Ｇ３、Ｂ３との関係が示されている。図１０に示されるように、色温度補正回路１３１１は、信号Ｒ２にＲゲイン補正パラメータＫＲを乗算して、信号Ｒ３に変換する。また、色温度補正回路１３１１は、信号Ｂ２にＢゲイン補正パラメータＫＢを乗算して、信号Ｂ３に変換する。このようにして、ＲＧＢの輝度バランスが所望の状態に調整される。Ｒゲイン補正パラメータＫＲ、Ｂゲイン補正パラメータＫＢの値は、後述するように変更することができるようになっている。
【００５７】
このように、補正部１３は、ブライト補正パラメータα（図４）と、コントラスト補正パラメータβ（図５）と、ガンマ係数γ１、γ２（図６（Ａ）、図６（Ｂ））と、彩度補正パラメータａ１（図８）と、色相補正パラメータａ２（図９）と、Ｒゲイン補正パラメータ、Ｂゲイン補正パラメータ（図１０）という複数の補正パラメータを有している。補正部１３は、これらの複数の補正パラメータによって規定される補正特性に従って、ＣＰＵ７から出力される映像信号（ＲＧＢ信号）を補正して、表示部１５に出力する。
【００５８】
補正パラメータレジスタ１３１には、補正部１３における画像処理に用いられる上述した複数の補正パラメータα、β、γ１、γ２、ａ１、ａ２、ＫＲ、ＫＢの設定値が設定されている。ブライト補正回路１３７、コントラスト補正回路１３８、ガンマ補正回路１３９、彩度補正回路１３４、色相補正回路１３５、色温度補正回路１３１１は、補正パラメータレジスタ１３１に設定値を参照し、その設定値で定まる補正特性に従って、入力された信号を補正している。
【００５９】
図１に戻り、ビデオＩ／Ｆ１４は、補正部１３と表示部１５とを接続している。補正部１３によって補正された映像信号は、ビデオＩ／Ｆ１４を介して表示部１５に入力される。
【００６０】
図２に示されるように、表示部１５は、携帯電話１００の上部筐体に設けられたディスプレイである。表示部１５として、例えば、液晶表示装置や自発光型の有機ＥＬディスプレイが用いられる。表示部１５は、ビデオＩ／Ｆ１４を介して入力された映像信号に対応する画像を表示する。
【００６１】
ところで、メモリ９には、上記プログラムの他、固定パターンの画像データや着信時に再生されるメロディ等の着信音データ、電話番号やメールアドレスが設定される電話帳、アドレス帳等の個人情報、ダウンロードした着信音データ、及び動画、静止画などの画像データ等が格納されている。
【００６２】
ＣＰＵ７は、無線回路２及び符号復号処理回路３を制御して着信待ちを行っている。着信時には、ＣＰＵ７は、メモリ９の電話帳から発信者の名前や着信メロディ、着信画像を読み出す。そして、ＣＰＵ７は、その着信メロディを、ＤＡＣ１０を介してスピーカ１１から出力するとともに、相手の電話番号や名前、画像データをビデオＩ／Ｆ１２、補正部１３、第２のビデオＩ／Ｆ１４を介して表示部１５に表示する。
【００６３】
操作部６の操作により、通話が選択されると、ＣＰＵ７は、無線回路２及び符号復号処理回路３を制御して通話を開始する。この後、ＣＰＵ７の制御の下、無線回路２における変復調、符号復号処理回路３における符号化及び復号化などにより、通話が行われる。
【００６４】
また、発信時には、操作部６の操作により、ＣＰＵ７は、メモリ９の電話帳から相手先の電話番号を読み出して、ビデオＩ／Ｆ１２、補正部１３、ビデオＩ／Ｆ１４を介して、表示部１４に表示させる。さらに、操作部６の操作により、発信が選択されると、ＣＰＵ７は、無線回路２及び符号復号処理回路３を制御してその電話番号の相手先に向けて発信を行う。この後、ＣＰＵ７の制御の下、無線回路２における変復調、符号復号処理回路３における符号化及び復号化により、通話が行われる。
【００６５】
さらに、携帯電話１００では、電子メールの送受信が可能である。符号復号処理回路３は、無線回路２からの信号を、文字や画像のデータ信号に復号化し、ＣＰＵ７に出力する。ＣＰＵ７は、その文字や画像を、ビデオＩ／Ｆ１２、補正部１３、ビデオＩ／Ｆ１４を介して表示部１５に表示させる。ユーザは、その表示画像を見て、電子メールの内容を理解する。
【００６６】
また、表示部１５に電子メールの編集画面が表示された状態で、ユーザは、表示部１５の表示画面を見ながら、操作部６を操作して編集した文字や画像データを入力することにより、電子メールを作成することができる。電子メールの送信時には、ＣＰＵ７は、作成された電子メール等を、符号復号処理回路３に出力する。符号復号処理回路３は、その文字や画像データを、符号化して、無線回路２に出力する。
【００６７】
このようにして、ユーザは、表示部１５に表示された画像を見ながら、操作部６を操作することにより、通話や電子メールの送受信が可能となる。したがって、表示部１５に表示される画像の画質は、ユーザがそれを見やすいように調整されているのが望ましい。
【００６８】
図１１に示されるように、メモリ９には、調整用画像データ５１と、補正部１３で使用する補正パラメータの設定値が設定された補正パラメータテーブル５２とが格納されている。調整用画像データ５１としては、例えば、風景や人物等の自然を写した自然画像のデータが用いられる。自然画像には、木々の緑や海の青、林檎の赤などは、記憶色と呼ばれる色が含まれている。表示部１５では、これら記憶色が正常に表示できるようになっているのが望ましい。また、これらの記憶色は、ユーザが最も違いを識別し易い色である。このような観点から、調整用画像データ５１として、自然画像のデータが用いられる。
【００６９】
ＣＰＵ７は、調整用画像データ５１をメモリ９から読み込んで、その調整用画像データ５１に基づくＲＧＢ信号を生成し、補正部１３に出力する。このＲＧＢ信号は、画質調整中は、補正部１３に出力されつづける。補正部１３は、補正パラメータレジスタ１３１に設定値に対応する補正特性に基づいて、映像信号を補正し、表示部１５に出力する。表示部１５は、補正部１３により補正された映像信号に対応する調整用画像を表示する。
【００７０】
また、本実施形態では、操作部１３の特定の操作キーを操作することにより、補正パラメータレジスタ１３１に設定された補正パラメータの値を変更することができるようになっている。操作部６の操作入力により、画質調整が選択されると、ＣＰＵ７は、表示部１５に、調整メニューを表示させる。ユーザが、操作部６の上下左右キー６１及び決定キー６３の操作により、調整メニューの中から調整対象を選択すると、ＣＰＵ７は、選択された調整対象に対応する補正パラメータの値を変更可能な状態となる。
【００７１】
操作部１３の特定の操作キーが操作されると、ＣＰＵ７は、その操作内容に従って、補正部１３の補正パラメータレジスタ１３１内のその補正パラメータの値を変更する。この後、補正部１３は、値が変更された補正パラメータにより規定される補正特性に基づいて、ＣＰＵ７から出力される映像信号を補正する。表示部１５には、新しい補正特性に従って補正された映像信号に対応する調整用画像が表示されるようになる。
【００７２】
次に、本実施形態に係る携帯電話１００における画質調整動作について説明する。この画質調整動作では、目標とする画質のリファレンスとして調整用画像と同一の画像の写真が使用される。ユーザは、この写真と、表示部１５に表示された調整用画像とを対比して、表示部１５に表示される画像の画質の調整を行う。このような写真としては、製品に添付したもの、製品の箱に印刷したものを使用することができる。人間の目は、明るさや色の差については識別能力が高いため、写真を見ながら調整を行うことにより、高精度な画質の調整が可能となる。
【００７３】
図１２には、画質調整動作のフローチャートが示されている。図１２に示されるように、まず、ステップＳ６１において、ＣＰＵ７は、各補正パラメータの設計値（初期値）を、メモリ９の補正パラメータテーブル５２から読み込んで補正パラメータレジスタ１３１に設定し、メモリ９に格納されている調整用画像を、表示部１５に表示させる。この補正パラメータの初期値は、例えば、工場出荷時にメーカによって設定されていた値である。
【００７４】
次のステップＳ６２では、ブライト、コントラスト調整が行われる。ブライト、コントラスト調整は、表示部１５に表示された調整メニューの中から、ブライト・コントラスト調整が選択されることにより、開始される。
【００７５】
図１３には、ブライト補正パラメータαとコントラスト補正パラメータβの調整例をまとめた表が示されている。図１３では、ブライト、コントラスト調整に用いられる操作部６の操作キーと、トーンカーブと、表示画像とが、対応づけて示されている。トーンカーブは、補正部１３に入力される映像信号の入力階調と、補正部１３から出力される映像信号の出力階調との関係を示している。すなわち、トーンカーブは、ブライト補正パラメータαの値と、コントラスト補正パラメータβの値とを変更することにより、ＣＰＵ７の出力信号に対して、表示部１５に入力される出力信号が、どのように変化するかを示している。
【００７６】
本実施形態では、操作部６の上下左右キー６１を用いてブライト、コントラスト調整が行われる。
【００７７】
まず、Ｎｏ．１に示されるように、上下左右キー６１の上側（以下「上キー」とする）が押下される度に、ＣＰＵ７は、現在、補正部１３の補正パラメータレジスタ１３１に設定されているブライト補正パラメータαの設定値を１ステップずつ増加させる。これにより、ブライト補正回路１３７では、設定値が１ステップ増加したブライト補正パラメータαによって規定される補正特性に従って、輝度信号Ｙ１が補正される。この結果、トーンカーブは、全体的に上に１段階シフトするようになり、表示部１５には、一様に明るくなるように調整された表示画像が表示されるようになる。
【００７８】
逆に、Ｎｏ．２に示されるように、上下左右キー６１の下側（以下「下キー」とする）が押下される度に、ＣＰＵ７は、補正部１３の補正パラメータレジスタ１３１に設定されているブライト補正パラメータαの設定値を１ステップずつ減少させる。これにより、ブライト補正回路１３７では、設定値が１ステップ減少したブライト補正パラメータαによって規定される補正特性に従って、輝度信号Ｙ１が補正される。この結果、トーンカーブは、全体的に下に１段階シフトするようになり、表示部１５には、一様に暗くなるように調整された表示画像が表示されるようになる。
【００７９】
次に、Ｎｏ．３に示されるように、上下左右キー６１の右側（以下「右キー」とする）が押下される度に、ＣＰＵ７は、補正部１３の補正パラメータレジスタ１３１に設定されているコントラスト補正パラメータβの設定値を１ステップずつ増加させる。これにより、コントラスト補正回路１３８では、設定値が１ステップ増加したコントラスト補正パラメータβによって規定される補正特性に従って、輝度信号Ｙ２が補正される。この結果、トーンカーブの傾きが大きくなり、表示部１５には、暗い部分はより暗くなるように調整され、明るい部分はより明るくなるように調整された表示画像が表示されるようになる。
【００８０】
逆に、Ｎｏ．４に示されるように、上下左右キー６１の左側（以下「左キー」とする）が押下される度に、ＣＰＵ７は、補正部１３の補正パラメータレジスタ１３１に設定されているコントラスト補正パラメータβの設定値を１ステップずつ減少させる。これにより、コントラスト補正回路１３８では、設定値が１ステップ減少したコントラスト補正パラメータβによって規定される補正特性に従って、輝度信号Ｙ２が補正される。この結果、トーンカーブの傾きが小さくなり、表示部１５には、暗い部分は若干明るくなるように調整され、明るい部分は若干暗くなるように調整された表示画像が表示されるようになる。
【００８１】
ユーザは、このように、図１３に示される要領で、上下左右キー６１を操作して、ブライト補正パラメータα、コントラスト補正パラメータβの値を変更し、画像のローライト、ハイライトが写真とのそれらと同じになるようなブライト補正パラメータα、コントラスト補正パラメータβの最適値を探索する。そして、最適値が探索されると、ユーザは、決定キー６３を押下する。この操作により、補正パラメータレジスタ１３１に設定されている設定値が、最適値として確定される。
【００８２】
次のステップＳ６３では、ガンマ調整が行われる。ガンマ調整は、表示部１５に表示された補正パラメータの調整メニューの中から、ガンマ調整が選択されることにより、開始される。
【００８３】
図１４には、補正パラメータとしてのガンマ係数γ１、γ２の調整例をまとめた表が示されている。図１４では、ガンマ調整に用いられる操作部６の操作キーと、トーンカーブと、表示画像とが、対応づけて示されている。本実施形態では、操作部６の上下左右キー６１を用いてガンマ調整が行われる。
【００８４】
まず、Ｎｏ．１に示されるように、上キーが押下される度に、ＣＰＵ７は、補正部１３の補正パラメータレジスタ１３１に設定されているガンマ係数γ１の設定値を１ステップずつ増加させる。これにより、ガンマ補正回路１３９では、設定値が１ステップ増加したガンマ係数γ１によって規定される補正特性に従って、輝度信号Ｙ３が補正される。この結果、トーンカーブは、その中間輝度を中心にさらに上に１段階持ち上げられるようになり、表示部１５には、低輝度側の階調変化が急峻で高輝度側の階調変化がなだらかな画像が表示されるようになる。
【００８５】
逆に、Ｎｏ．２に示されるように、下キーが押下される度に、ＣＰＵ７は、補正パラメータレジスタ１３１に設定されているガンマ係数γ１の設定値を１ステップずつ減少させる。これにより、ガンマ補正回路１３９では、設定値が１ステップ減少したガンマ係数γ１によって規定される補正特性に従って、輝度信号Ｙ３が補正される。この結果、トーンカーブは、その中間輝度を中心にさらに下に１段階下げられるようになり、表示部１５には、低輝度側の階調変化がなだらかで高輝度側の階調変化が急峻な画像が表示されるようになる。
【００８６】
次に、Ｎｏ．３に示されるように、右キーが押下される度に、ＣＰＵ７は、補正パラメータレジスタ１３１に設定されているガンマ係数γ２を１ステップずつ増加させる。これにより、ガンマ補正回路１３９では、設定値が１ステップ増加したガンマ係数γ２によって規定される補正特性に従って、輝度信号Ｙ３が補正される。この結果、トーンカーブは、低輝度側が持ち上げられ、高輝度側が下げられるようになり、表示部１５には、低輝度側と高輝度側の階調変化が急峻で、中間輝度の階調変化がなだらかな画像が表示されるようになる。
【００８７】
逆に、Ｎｏ．４に示されるように、左キーが押下される度に、ＣＰＵ７は、補正パラメータレジスタ１３１に設定されているガンマ係数γ２を１ステップずつ増加させる。これにより、ガンマ補正回路１３９では、設定値が１ステップ減少したガンマ係数γ２によって規定される補正特性に従って、輝度信号Ｙ３が補正される。この結果、トーンカーブは、その低輝度側が下げられ、高輝度側が持ち上げられるようになり、表示部１５には、低輝度側と高輝度側の階調変化がなだらかで、中間輝度付近の階調変化が急峻な画像が表示されるようになる。
【００８８】
このように、ステップＳ６３では、ユーザは、図１４に示される要領で、上下左右キー６１を操作して、ガンマ係数γ１、ガンマ係数γ２の値を変更し、表示画像と写真の階調表現が同じになるようなガンマ係数γ１、ガンマ係数γ２の最適値を探索する。そして、最適値が探索されると、ユーザは、決定キー６３を押下する。この操作により、補正パラメータレジスタ１３１に設定されている設定値が、これらの最適値として確定される。
【００８９】
次のステップＳ６４では、色温度の調整が行われる。色温度調整は、表示部１５に表示された補正パラメータの調整メニューの中から、色温度調整が選択されることにより、開始される。図１５には、色温度補正回路１３１１におけるＲゲイン補正パラメータＫＲ，Ｂゲイン補正パラメータＫＢの調整例をまとめた表が示されている。図１５では、色温度調整に用いられる操作部６の操作キーと、トーンカーブと、表示画像とが、対応づけて示されている。本実施形態では、操作部６の上下左右キー６１を用いて色温度の調整が行われる。
【００９０】
まず、Ｎｏ．１に示されるように、上下左右キー６１の上側（上キー）が押下される度に、ＣＰＵ７は、Ｒゲイン補正パラメータＫＲを１ステップずつ増加させる。これにより、色温度補正回路１３１１では、Ｒ成分のトーンカーブの傾きが、他の成分のトーンカーブの傾きに対して、大きくなる。この結果、表示部１５には、Ｒ成分が増加した画像が表示されるようになる。
【００９１】
逆に、Ｎｏ．２に示されるように、下キーが押下される度に、ＣＰＵ７は、Ｒゲイン補正パラメータＫＲを１ステップずつ減少させる。これにより、色温度補正回路１３１１ではＲ成分のトーンカーブの傾きが、他の成分のトーンカーブの傾きに対して小さくなる。この結果、表示部１５には、Ｒ成分が減少した画像が表示されるようになる。
【００９２】
次に、Ｎｏ．３に示されるように、右キーが押下される度に、ＣＰＵ７は、Ｂゲイン補正パラメータＫＢを１ステップずつ増加させる。これにより、色温度補正回路１３１１ではＢ成分のトーンカーブの傾きが、他の成分のトーンカーブの傾きに対して大きくなる。この結果、表示部１５には、Ｂ成分が増加した画像が表示されるようになる。
【００９３】
逆に、Ｎｏ．４に示されるように、左キーが押下される度に、ＣＰＵ７は、Ｂゲイン補正パラメータＫＢを１ステップずつ減少させる。これにより、色温度補正回路１３１１では、Ｂ成分のトーンカーブの傾きが、他の成分のトーンカーブの傾きに対して小さくなる。この結果、表示部１５には、Ｂ成分が減少した画像が表示されるようになる。
【００９４】
このように、ステップＳ６４では、ユーザは、図１５に示される要領で、上下左右キー６１を操作して、Ｒゲイン補正パラメータＫＲ、Ｂゲイン補正パラメータＫＢの値を変更し、表示画像と写真の階調表現が同じになるようなＲゲイン補正パラメータＫＲの最適値と、Ｂゲイン補正パラメータＫＢの最適値とを探索する。そして、これらの最適値が探索されると、ユーザは、決定キー６３を押下する。この操作により、補正パラメータレジスタ１３１に設定されている設定値が、最適値として確定される。なお、この調整により、画像の色かぶりや、バックライトの色付きなども補正することができる。
【００９５】
次のステップＳ６５では、彩度・色相の調整が行われる。彩度・色相調整は、表示部１５に表示された補正パラメータの調整メニューの中から、操作部６の操作によって、彩度・色相調整が選択されることにより、開始される。図１６には、彩度補正回路１３４及び、色相補正回路１３５での補正パラメータの調整例をまとめた表が示されている。図１６では、彩度・色相の調整に用いられる操作部６の操作キーと、トーンカーブと、表示画像とが、対応づけて示されている。本実施形態では、操作部６の上下左右キー６１を用いて彩度・色相の調整が行われる。
【００９６】
まず、Ｎｏ．１に示されるように、上キーが押下される度に、ＣＰＵ７は、彩度補正パラメータａ１を１ステップずつ増加させる。これにより、彩度補正回路１３４では、彩度信号Ｓ１に対する彩度信号Ｓ２の傾きが大きくなる。この結果、表示部１５には、鮮やかさが増加した画像が表示されるようになる。
【００９７】
逆に、Ｎｏ．２に示されるように、下キーが押下される度に、ＣＰＵ７は、彩度補正パラメータａ１を１ステップずつ減少させる。これにより、彩度補正回路１３４では、彩度信号Ｓ１に対する彩度信号Ｓ２の傾きが小さくなる。この結果、表示部１５には、鮮やかさが低減した画像が表示されるようになる。
【００９８】
また、Ｎｏ．３に示されるように、右キーが押下される度に、ＣＰＵ７は、色相補正パラメータａ２を１ステップずつ増加させる。これにより、色相補正回路１３５では、色相信号Ｈ２が、色相信号Ｈ１に対して時計回りに角度ａ２だけ補正される。この結果、表示部１５には、色相が、全体的にＲ成分からＢ成分の方向に調整された画像が表示されるようになる。
【００９９】
また、Ｎｏ．４に示されるように、左キーが押下される度に、ＣＰＵ７は、色相補正パラメータａ２を１ステップずつ減少させる。これにより、色相補正回路１３５では、色相信号Ｈ２が、色相信号Ｈ１に対して反時計回りに角度ａ２だけ補正される。この結果、表示部１５には、色相が、全体的にＲ成分からＧ成分の方向に調整された画像が表示されるようになる。
【０１００】
このように、ステップＳ６５では、ユーザは、図１６に示される要領で、上下左右キー６１を操作して、彩度補正パラメータａ１、色相補正パラメータａ２の値を変更し、表示部１５に表示される画像の彩度、色相が写真のそれと同じになるような彩度補正パラメータａ１、色相補正パラメータａ２の最適値を探索する。そして、最適値が探索されると、ユーザは、決定キー６３を押下する。この操作により、補正パラメータレジスタ１３１に設定された値がこれらの最適値として確定される。
【０１０１】
次のステップＳ６６では、ＣＰＵ７は、これまでに確定した各補正パラメータの最適値をメモリ９の補正パラメータテーブル５２に格納する。以降、補正部１３では、補正パラメータレジスタ１３１に設定された補正パラメータの設定値を用いて映像信号が補正され、階調や色を正確に表現することができるようになる。
【０１０２】
なお、本実施形態では、メーカによってメモリ９に格納されている調整用画像データに基づく画像と、携帯電話１００の販売時に添付されていた写真とを比較することによって、補正パラメータを調整したが、本発明は、これに限られるものでない。例えば、ユーザは、カメラで撮影した画像やネットワークからダウンロードした画像がプリントされたものを用いて、補正パラメータを調整するようにしても良い。
【０１０３】
また、調整用画像を、自宅のＰＣ（パーソナルコンピュータ）やテレビに表示して、その画質と同じになるように各補正パラメータを調整するようにすれば、携帯電話１００の表示画像の画質を、ＰＣやテレビの画質に合わせることができる。
【０１０４】
また、調整用画像は、１枚の画像である必要はなく、例えば、図１７（Ａ）、図１７（Ｂ）に示されるように、画像Ａ、画像Ｂ、画像Ｃという複数の画像を調整用画像として同時に表示して、補正パラメータの調整を行うようにしても良い。同時に表示される複数の画像をそれぞれ、明るい画像、暗い画像、色鮮やかな画像とすれば、複数の画像のうちのいずれかは、各補正パラメータの変化に対して感度が高い画像となるため、ユーザが、各補正パラメータの最適値を見つけやすくなる。この結果、ユーザが、さらに効率良く補正パラメータを調整することができる。また、図１７（Ｂ）に示されるように、グレイスケールやカラーバーと言ったテストパターン画像と、自然画像としての画像Ａ、画像Ｂとともに同時に表示させるようにすれば、複数の画像のうちのいずれかは、各補正パラメータの変化に対して感度が高い画像となるため、各補正パラメータの最適値を見つけやすくなる。この結果、ユーザが、さらに効率良く補正パラメータを調整することができる。
【０１０５】
≪第２の実施形態≫
次に、本発明の第２の実施形態について説明する。図１８には、本実施形態に係る携帯端末装置としての携帯電話１０１の概略的な構成が示されている。図１８に示されるように、本実施形態に係る携帯電話１０１は、補正部１３の代わりに、９個（９系統）の補正部１３Ａ〜１３Ｉを備えている点と、セレクタ１６を備えている点が、上記第１の実施形態に係る携帯電話１００と異なっている。本実施形態では、上記第１の実施形態に係る携帯電話１００の構成要素と同一の構成要素には、同一符号を付し、重複する説明は省略する。
【０１０６】
補正部１３Ａ〜１３Ｉの内部構成は、上記第１の実施形態に係る補正部１３と同じである。
【０１０７】
本実施形態では、ＣＰＵ７は、メモリ９に格納された調整用画像５１の縦横の比率をそれぞれ１／３に縮小し、縮小された調整用画像に基づく映像信号を、補正部１３Ａ〜１３Ｉにそれぞれ入力する。補正部１３Ａ〜１３Ｉは、内部の補正パラメータレジスタ１３１に設定された補正パラメータの設定値を用いて、映像信号を補正する。
【０１０８】
セレクタ１６は、表示部１５の縦横３×３の９つのエリアにそれぞれ補正部１３Ａ〜１３Ｉの出力信号に基づく画像が表示されるように、補正部１３Ａ〜１３Ｉの出力信号を選択して、表示部１５に出力する。これにより、表示部１５には、３×３個の縮小された調整用画像が、同時に表示されるようになる。
【０１０９】
画質調整時には、補正部１３Ａ〜１３Ｉの補正パラメータレジスタ１３１には、特定の補正パラメータの値としてそれぞれ異なる値が設定されている。したがって、表示部１５に表示された９つの調整用画像は、それぞれ画質が異なるようになる。
【０１１０】
すなわち、本実施形態に係る携帯電話１０１によれば、補正部１３Ａ〜１３Ｉにそれぞれ異なる補正パラメータを設定することによって、１枚の調整用画像内の９つのエリアＡ〜Ｉに補正パラメータ値が異なる画像を同時に表示させることができるようになっている。
【０１１１】
図１９には、本実施形態に係る携帯電話１０１の主要部の構成が模式的に示されている。ここでは、ブライト補正パラメータα、コントラスト補正パラメータβを調整する場合について説明する。ここで、メモリ９のブライト補正パラメータα、コントラスト補正パラメータβの値として、それぞれｍ、ｎ（ｍ、ｎは整数）が設定されているものとする。
【０１１２】
本実施形態では、ＣＰＵ７は、メモリ９からの補正パラメータα、βの値ｍ、ｎを読み込んで、この値ｍ、ｎに基づいて、補正部１３Ａ〜１３Ｉの補正パラメータレジスタ１３１の補正パラメータα、βの値を設定する。前述のように、補正部１３Ａ〜１３Ｉの補正パラメータレジスタ１３１には、補正パラメータの値としてそれぞれ異なる値が設定されるようになるが、それらの値には、規則性がある。図１９に示されるように、ＣＰＵ７は、補正部１３Ａ、１３Ｂ、１３Ｃのブライト補正パラメータαの値としてｍ＋１を設定し、補正部１３Ｄ、１３Ｅ、１３Ｆのブライト補正パラメータαの値としてｍを設定し、補正部１３Ｇ、１３Ｈ、１３Ｉのブライト補正パラメータαの値として、ｍ−１を設定する。また、ＣＰＵ７は、補正部１３Ａ、１３Ｄ、１３Ｇのコントラスト補正パラメータβの値としてｎ−１を設定し、補正部１３Ｂ、１３Ｅ、１３Ｈのコントラスト補正パラメータβの値としてｎを設定し、補正部１３Ｃ、１３Ｆ、１３Ｉのコントラスト補正パラメータβの値として、ｎ＋１を設定する。
【０１１３】
また、セレクタ１６の動作により、補正部１３Ａ〜１３Ｉの出力信号に基づく画像は、それぞれ、表示部１５の表示画面のエリアＡ〜Ｉに表示されるようになっている。
【０１１４】
したがって、表示部１５のエリアＡには、補正パラメータα＝ｍ＋１、補正パラメータβ＝ｎ−１で規定された補正特定に基づいて補正された映像信号に基づく調整用画像が表示されるようになる。以下、エリアＢには、α＝ｍ＋１、β＝ｎ、エリアＣには、α＝ｍ＋１、β＝ｎ＋１、エリアＤには、α＝ｍ、β＝ｎ−１、エリアＥには、α＝ｍ、β＝ｎ、エリアＦには、α＝ｍ、β＝ｎ＋１、エリアＧには、α＝ｍ−１、β＝ｎ−１、エリアＨには、α＝ｍ−１、β＝ｎ、エリアＩには、α＝ｍ、β＝ｎ＋１で補正された映像信号に基づく調整用画像が表示されるようになる。
【０１１５】
ここで、ｍ＝０，ｎ＝０であるものとする。図２０には、この場合における、ブライト補正パラメータα、コントラスト補正パラメータβの調整中に表示部１５に表示される調整用画像の一例が示されている。図２０に示されるように、中段のエリアＤ〜Ｆには、ブライト補正パラメータαの値を０として補正された映像信号に対応する画像が表示される。また、上段のエリアＡ〜Ｃには、ブライト補正パラメータαの値を、１ステップ増加させて（＋１として）補正された映像信号に対応する画像が表示される。また、下段のエリアＧ〜Ｉには、ブライト補正パラメータαの値を、１ステップ減少させて（−１として）補正された映像信号に対応する画像が表示される。
【０１１６】
また、中央のエリアＢ、Ｅ、Ｈには、コントラスト補正パラメータβの値を０として補正された映像信号に対応する画像が表示される。また、右側のエリアＣ、Ｆ、Ｉには、コントラスト補正パラメータβの値を、１ステップ増加させて（＋１として）補正された映像信号に対応する画像が表示される。また、左側のエリアＡ、Ｄ、Ｇには、ブライト補正パラメータαの値を、１ステップ減少させて（−１として）補正された映像信号に対応する画像が表示される。
【０１１７】
要するに、表示部１５では、縦方向にブライト補正パラメータα、横方向にコントラスト補正パラメータβを１ステップずつ変えた画像が表示されている。表示部１５には、補正に用いられた補正パラメータの値に従った順序で、複数の画像が表示されるようになる。このため、各画像を対比して、どの画像が、写真の参照用画像に近いかを判別することができるようになり、ユーザが、補正パラメータの最適値の探索方向の見当をつけやすくなっている。
【０１１８】
本実施形態においても、操作部６の操作入力により、補正部１３A〜１３Ｉの補正パラメータの値を変更することができる。これにより、補正部１３Ａ〜１３Ｉの補正パラメータの値は、連動して変更される。
【０１１９】
まず、上下左右キー６１の上キーが押下された場合には、図２１（Ａ）に示されるように、ＣＰＵ７は、全ての補正部１３Ａ〜１３Ｉのブライト補正パラメータαを１ステップ増加させる。この結果、すべてのエリアＡ〜Ｉにおいて、一様に明るくなるように調整された表示画像が表示されるようになる。
【０１２０】
また、上下左右キー６１の下キーが押下された場合には、図２１（Ｂ）に示されるように、ＣＰＵ７は、全ての補正部１３Ａ〜１３Ｉのブライト補正パラメータαを１ステップ減少させる。この結果、すべてのエリアＡ〜Ｉにおいて、一様に暗くなるように調整された表示画像が表示されるようになる。
【０１２１】
また、上下左右キー６１の右キーが押下された場合には、図２１（Ｃ）に示されるように、ＣＰＵ７は、全ての補正部１３Ａ〜１３Ｉのコントラスト補正パラメータβを１ステップ増加させる。この結果、すべてのエリアＡ〜Ｉにおいて、暗い部分はより暗くなるように補正され、明るい部分はより明るくなるように調整された表示画像が表示されるようになる。
【０１２２】
また、上下左右キー６１の左キーが押下された場合には、図２１（Ｄ）に示されるように、ＣＰＵ７は、全ての補正部１３Ａ〜１３Ｉのコントラスト補正パラメータβを１ステップ減少させる。この結果、すべてのエリアＡ〜Ｉにおいて、暗い部分は若干明るくなるように補正され、明るい部分は若干暗くなるように調整された表示画像が表示されるようになる。
【０１２３】
そして、上記第１の実施形態と同様に、ユーザは、表示部１５に表示された９つの画像と写真とを対比して、表示部１５の画面中央のエリアＥに表示された画像の画質が、他のエリアに表示された画像よりも写真の画像に近いと判断すると、操作部６の決定キーを押下する。これにより、エリアＥに対応する補正パラメータα、βの値が、最終的な補正パラメータの最適値として全ての補正部１３Ａ〜１３Ｉの補正パラメータレジスタ１３１に設定される。画質調整動作終了後は、補正部１３Ａ〜１３Ｉは、ブライト補正パラメータα、コントラスト補正パラメータβに関して、同一の値で映像信号の補正を行うようになる。
【０１２４】
このように、本実施形態によれば、上下左右キー６１と補正パラメータの変化を対応させることにより、最終的に保存される常に画面中央のエリアＥに表示し、その周辺のエリアに、ブライト補正パラメータα及びコントラスト補正パラメータβを１ステップ変化させた時の画像を同時に見ることができるため、そのうちのどの画像が、写真に近いかを判別することにより、補正パラメータの最適値の探索方向の見当を付けやすくなる。この結果、ユーザが、画質をより調整しやすくなる。
【０１２５】
また、本実施形態によれば、操作部６の上下左右キー６１の操作方向と、表示部９に表示される調整用画像の補正パラメータの増減方向とが、一致しているため、ユーザは、画質の調整がさらに容易となる。
【０１２６】
その他の補正パラメータである、ガンマ係数γ１、ガンマ係数γ２、色温度、彩度、色相についても同様にして調整される。
【０１２７】
なお、本実施形態では、最終的に保存される補正パラメータの値が、エリアＥに適用されているものであることをユーザに認識させるため、図２２（Ａ）に示されるようにエリアＥの外周に枠を表示させたり、図２２（Ｂ）に示されるように、他のエリアに対して、エリアＥの調整画像を大きく表示したりするようにしても良い。
【０１２８】
また、本実施形態に係る携帯電話１０１は、９系統の補正部１３Ａ〜１３Ｆを備えているが、本発明はこれに限られるものでない。表示部１５の画面を分割し、補正に用いられた補正パラメータの値が異なる調整用画像を複数同時に表示できるようになっていれば、補正部は、１系統であってもよい。例えば、補正パラメータの値がそれぞれ異なる複数の調整用画像のマトリクス画像を、ＣＰＵ７のシミュレーション機能によって作成できるようにし、そのマトリクス画像を、表示部１５に表示させるようにしても良い。
【０１２９】
なお、本実施形態では、９系統の補正部を設け、上述のようにして調整された補正パラメータの最適値を９系統の補正部に設定し、その後は、９系統の補正部すべてを用いて、表示部１５の画像を表示させるようにしたが、これには限られず、９系統の補正部のうち、１系統の補正部、例えば補正部１３Ｅだけを用いて、映像信号を補正するようにしてもよい。
【０１３０】
≪第３の実施形態≫
次に、本発明の第３の実施形態について説明する。図２３には、本実施形態に係る携帯電話１０２の概略的な構成が示されている。本実施形態に係る携帯電話１０２の構成は、照度センサ１８が設けられている点が、上記第１の実施形態に係る携帯電話１００の構成と異なっている。上記第１の実施形態に係る携帯電話１００の構成要素と同一の構成要素には、同一符号を付し、重複する説明を省略する。
【０１３１】
図２４には、照度センサ１８の回路構成が示されている。図２４に示されるように、照度センサ１８は、電源端子１８１と、フォトＩＣ１８２と、抵抗１８３と、接地１８４と、出力端子１８５とを備えている。電源端子１８１には、電源電圧＋Ｖが印加されている。電源端子１８１と、接地１８４との間には、フォトＩＣ１８２が接続され、出力端子１８５は、抵抗１８３を介して接地１８４に接続されている。フォトＩＣ１８２に周辺の光が入射すると、抵抗１８３に電流が流れ、出力端子１８５から周囲の照度に応じた電圧が出力される。この出力電圧は、ＣＰＵ７に出力される。図２５には、照度センサ１８における検出照度と出力電圧の関係が示されている。図２５に示されるように、照度センサ１８の出力電圧と、周囲の照度とは、線形関係にある。
【０１３２】
ＣＰＵ７は、照度センサ１８の出力電圧によって周囲の照度を検知する。ＣＰＵ７には、検知された周囲の照度に応じて、補正部１３に設定される補正パラメータの値を変更することができるようになっている。
【０１３３】
本実施形態では、図２５に示されるように、１０ｌｘ以下を、第１の照度範囲Ｌ１とし、１０ｌｘから１００００ｌｘまでを第２の照度範囲Ｌ２とし、１００００ｌｘ以上を第３の照度範囲Ｌ３とする。そして、ＣＰＵ７は、周囲の照度が第１の照度範囲Ｌ１に属するときと、第２の照度範囲Ｌ２に属するときと、第３の照度範囲Ｌ３に属するときとで、補正部１３に設定される補正パラメータの値を切り替える。
【０１３４】
本実施形態に係る携帯電話１０２の画質調整動作について説明する。図２６には、この画質調整動作のフローチャートが示されている。
【０１３５】
まず、ステップＳ７１において、ＣＰＵ７は、照度センサ１８の出力（出力電圧）を読み込む。次のステップＳ７２では、ＣＰＵ７は、出力電圧（すなわち検出照度）の属する照度範囲について既に補正パラメータが記憶されているか否か、すなわち調整済みであるか否かを判定する。ここで、その出力電圧が０．０５Ｖであったとする。図２５に示されるように、０．０５Ｖは、第１の照度範囲Ｌ１に属する。そこで、ＣＰＵ７は、第１の照度範囲Ｌ１が調整済みであるか否かを判定する。ＣＰＵ７は、この判定が肯定されれば処理を終了し、否定されればステップＳ７３に進む。
【０１３６】
ステップＳ７３では、ＣＰＵ７は、照度範囲Ｌ１に対応するコメントの入力待ちとなる。操作部６の操作入力によりコメントが入力されると、ＣＰＵ７は、そのコメントをメモリ９に格納する。ここでは、コメントとして「寝室」と入力されるものとする。
【０１３７】
次のステップＳ７４では、上記第１の実施形態と同様に、図１２に示される画像調整動作を行って、補正パラメータの最適値を求める。次のステップＳ７５では、ＣＰＵ７は、求められた最適値を、第１の照度範囲の補正パラメータの値としてメモリ９に格納する。ステップＳ７５の後は、処理を終了する。
【０１３８】
本実施形態では、上述したような動作が、様々な照度条件、すなわち、照度センサ１８により検出された照度が、第２の照度範囲Ｌ２に属する場合と、第３の照度範囲Ｌ３に属する場合とでそれぞれ行われる。これにより、メモリ９上には、例えば、図２７に示されるような照度範囲に対応した補正パラメータテーブル５２’が作成されるようになる。この補正パラメータテーブル５２’では、第２の照度範囲Ｌ２のコメントに、「リビング」が設定され、第３の照度範囲Ｌ３のコメントに、「屋外」が設定されている。
【０１３９】
これ以降、ＣＰＵ７は、照度センサ１８の出力に応じて、図２７に示される補正パラメータテーブル５２’に設定された補正パラメータを読み出して補正部１３に設定する。すなわち、照度センサ１８の検出値が、第１の照度範囲Ｌ１に属する場合には、ＣＰＵ７は、図２７の補正パラメータテーブル５２’において、「寝室」に対応する補正パラメータの値を読み出して、補正部１３の補正パラメータレジスタ１３１に設定する。また、照度センサ１８の検出値が、第２の照度範囲Ｌ２に属する場合には、ＣＰＵ７は、図２７の補正パラメータテーブル５２’において、「リビング」に対応する補正パラメータの値を読み出して、補正部１３の補正パラメータレジスタ１３１に設定する。また、照度センサ１８の検出値が、第３の照度範囲Ｌ３に属する場合には、ＣＰＵ７は、図２７の補正パラメータテーブル５２’において、「屋外」に対応する補正パラメータの値を読み出して、補正部１３の補正パラメータレジスタ１３１に設定する。これにより、表示部２５には、常に、周囲の照度環境に応じた最適な画質で画像が表示されるようになる。
【０１４０】
なお、本実施形態における画質調整動作では、ステップＳ７２において、調整済みであると判定された場合には、その動作を終了させたが、本発明は、これに限られるものではない。その照度範囲がすでに調整済みであっても、ＣＰＵ７は、記憶されている補正パラメータの値を削除して、新たに補正パラメータの最適値を探索するか否かを確認するメッセージを、表示部１５に表示させるようにしてもよい。そして、操作部６により、新たに探索する旨の操作がされた場合には、ＣＰＵ７は、記憶されている補正パラメータを削除し、新しい補正パラメータの最適値を探索すべく、ステップＳ７４に進み、画像調整動作を実行するようにしても良い。
【０１４１】
また、ステップＳ７４において、画質調整中に、周囲の照度が変化した場合には、画質を適切に調整できない場合が生じ得る。そこで、ステップＳ７４の画質調整中に、照度センサ１８の検出値が、調整対象の照度範囲を超えた場合には、ＣＰＵ７は、表示部１５に、照度を安定させるように促すメッセージを表示するようにしてもよい。
【０１４２】
以上詳細に説明したように、上記各実施形態によれば、上下方向又は左右方向に並んで配設された一対の操作キーの操作入力に従って、補正特性を規定する複数の補正パラメータのうち、一の補正パラメータの値が増減され、増減した値が反映された表示画像が、表示部１５に表示される。このように、一対の操作キーの操作入力により、一つの補正パラメータの値を増減させることで映像信号の補正特性を調整できるようにすれば、簡単な操作で、映像信号の補正特性を、すべての階調に渡って包括的に調整できるようになる。これにより、エンドユーザが、表示画像の画質を、容易に調整することができるようになる。
【０１４３】
また、上記各実施形態によれば、画像の輝度を計測するセンサを必要としないので、そのようなセンサの検出値に基づく画質の調整作業が必要とはならない。また、センサを製品に同梱する必要がないので、直材費を低減することができる。さらに、製造時にそのような調整作業が必要とならないので、製造コストを低減することができる。
【０１４４】
また、上記各実施形態では、上キーを操作すれば、補正パラメータの値が増加し、下キーを操作すれば、補正パラメータの値が減少するようになっている。一対の操作キーを用いた補正パラメータの増減による補正特性の調整動作は、エンドユーザが、操作の熟練度を必要とせずに、直感的に成し得る操作である。また、このような調整方法は、人間工学の観点からいっても至極妥当なものである。この結果、エンドユーザの操作性をさらに高めることができる。
【０１４５】
なお、上記各実施形態では、ブライト補正パラメータαと、コントラスト補正パラメータβとを、上下左右キー６１で同時に調整可能としたが、これらは、別々に調整可能としても構わない。このように、上記各実施形態では、上キー及び下キーの組み合わせで、一の補正パラメータを増減させ、右キー及び左キーの組み合わせで、他の補正パラメータを増減させるようにしたが、どちらか一方の組み合わせのみで、補正パラメータを増減させる用にしても構わない。もっとも、このように、縦横で２つの補正パラメータを、同時調整できるようにした方が、効率的であるのは勿論である。
【０１４６】
また、上記第２の実施形態によれば、表示部１５に、補正パラメータの値が異なる複数の画像を同時に表示させた。このようにすれば、エンドユーザが、補正パラメータの値が異なる複数の画像を同時に見ることができるので、補正パラメータの最適値の見当を付けやすくなる。この結果、画質の調整がさらに容易となる。
【０１４７】
また、上記第２の実施形態によれば、複数の画像は、補正パラメータの値に従った順序で、上下方向及び左右方向に並べて表示されている。このようにすれば、補正パラメータの値の変動に応じて、表示画像がどのように変化するかを、エンドユーザが把握することができるようになる。この結果、補正パラメータの最適値を探索し易くなるので、画質の調整がさらに容易となる。
【０１４８】
また、上記第２の実施形態によれば、複数の画像にそれぞれ対応する補正パラメータの値を連動して増減させる。このようにすれば、補正パラメータの値の変動に対する表示画像の変化を、さらに長い範囲で、エンドユーザが把握することができるようになる。この結果、補正パラメータの最適値を探索し易くなるので、画質の調整がさらに容易となる。
【０１４９】
また、上記第２の実施形態によれば、補正パラメータを増減させる操作キーの操作方向と、複数の画像における補正パラメータの値の増減方向とを一致させているので、エンドユーザが、操作を迷うことなく、表示される画像を見ながら補正パラメータの値を変更することができるようになる。この結果、補正パラメータの最適値を探索し易くなるので、画質の調整がさらに容易となる。
【０１５０】
また、上記第２の実施形態によれば、表示部１５の中央に表示されたエリア５の画像に対応する補正パラメータの値が最適値として決定される。この携帯電話１０１では、ユーザは、その中央に表示された画像と、補正パラメータの値が±１ステップ異なる前後の画像とを同時に見ることができる。ここで、その中央に表示された画像に対応する補正パラメータの値が、最適値であったとすると、前後の画像の画質と比較して、中央に表示された画像の画質が、参照画像の画質に最も近いことを、ユーザが直に識別することができるようになる。したがって、中央に表示されたエリア５の画像に対応する補正パラメータの値が最適値として決定されるようにしておけば、補正パラメータの最適値を、より確実に見つけることができるようになる。この結果、補正パラメータの最適値を探索し易くなるので、画質の調整がさらに容易になる。
【０１５１】
また、上記第３の実施形態によれば、自宅のリビングや寝室などの周囲の照度に応じて補正パラメータの最適値を変更することができるので、表示部１５に表示された画像の画質を、常に、周囲の環境に適したものとすることができるようになる。
【０１５２】
なお、上記各実施形態では、ブライト・コントラスト調整、ガンマ調整、色温度調整、彩度・色相調整をこの順に行ったが、この調整の順番は、どのような順番であってもかまわない。また、それぞれの調整を単独で行ってもよい。
【０１５３】
なお、上記各実施形態では、補正パラメータの値を変更する操作キーを上下左右キー６１としたが、これには限られず、テンキー６２の幾つかのキーを一対の操作キーとして組み合わせて、補正パラメータの値を変更するようにしてもよい。また、一対の操作キーは、上下左右方向だけでなく、斜め方向に並んで配置されていても構わない。
【０１５４】
なお、上記各実施形態では、映像信号を、ＲＧＢ信号としたが、これには限られず、ＹＵＶ信号であってもよいし、その他の映像信号であってもよい。すなわち、本発明は、映像信号の規格には限定されない。
【０１５５】
なお、上記各実施形態では、携帯電話１００について説明を行ったが、本発明は、これには限られず、例えばＰＨＳ（Ｐｅｒｓｏｎａｌ Ｈａｎｄｙ−ｐｈｏｎｅ  Ｓｙｓｔｅｍ）、ＰＤＡ、ノート型ＰＣ（Ｐｅｒｓｏｎａｌ  Ｃｏｍｐｕｔｅｒ）、携帯型ＴＶ、携帯型の映像記録装置、再生装置等の映像表示が可能な携帯端末装置全般に適用可能である。
【図面の簡単な説明】
【０１５６】
【図１】本発明の第１の実施形態に係る携帯電話の概略的な構成を示すブロック図である。
【図２】図１の携帯電話の外観図である。
【図３】図１の補正部の構成を示すブロック図である。
【図４】ブライト補正パラメータの補正を説明するための図である。
【図５】コントラスト補正パラメータの補正を説明するための図である。
【図６】図６（Ａ）は、第１ガンマ係数を説明するための図であり、図６（Ｂ）は、第２ガンマ係数を説明するための図である。
【図７】図７（Ａ）及び図７（Ｂ）は、色差信号、彩度信号、色相信号及びその補正を説明するための特性図である。
【図８】彩度の補正を説明するための図である。
【図９】色相の補正を説明するための図である。
【図１０】色温度の補正を説明するための図である。
【図１１】本実施形態に係る携帯電話の主要部の構成を示すブロック図である。
【図１２】本実施形態に係る携帯電話の画質調整動作のフローチャートである。
【図１３】ブライト、コントラスト調整を説明するための図である。
【図１４】ガンマ係数の調整を説明するための図である。
【図１５】色温度調整を説明するための図である。
【図１６】彩度・色相調整を説明するための図である。
【図１７】図１７（Ａ）及び図１７（Ｂ）は、表示画像の変形例である。
【図１８】本発明の第２の実施形態に係る携帯電話の概略的な構成を示すブロック図である。
【図１９】図１８の携帯電話の主要部の構成を示すブロック図である。
【図２０】ブライト、コントラスト調整時の表示画像の一例を示す図である。
【図２１】図２１（Ａ）〜図２１（Ｄ）は、操作キーが操作された場合の表示画像の変化の一例を示す図である。
【図２２】図２２（Ａ）、図２２（Ｂ）は、表示画像の一例を示す図である。
【図２３】本発明の第３の実施形態に係る携帯電話の概略的な構成を示すブロック図である。
【図２４】照度センサの回路図である。
【図２５】周囲の照度と、照度センサの出力電圧との関係を示すグラフである。
【図２６】図２３の携帯電話における画質調整動作のフローチャートである。
【図２７】補正パラメータテーブルを示す図である。
【符号の説明】
【０１５７】
１・・・音声アンテナ、２・・・無線回路、３・・・符号復号処理回路、４・・・マイク、５・・・レシーバ、６・・・操作部、７・・・ＣＰＵ、８・・・ＣＰＵバス、９・・・メモリ、１０・・・デジタルアナログコンバータ（ＤＡＣ）、１１・・・スピーカ、１２・・・ビデオインターフェイス（Ｉ／Ｆ）、１３、１３Ａ〜１３Ｉ・・・補正部、１４・・・ビデオインターフェイス（Ｉ／Ｆ）、１５・・・表示部、１６・・・セレクタ、１８・・・照度センサ、５１・・・調整用画像データ、５２、５２’・・・補正パラメータテーブル、６１・・・上下左右キー、６２・・・テンキー、６３・・・決定キー、１００、１０１、１０２・・・携帯電話、１８１・・・電源端子、１８２・・・フォトＩＣ、１８３・・・抵抗、１８４・・・接地、１８５・・・出力端子、１３１・・・補正パラメータレジスタ、１３２・・・ＹＵＶ変換回路、１３３・・・彩度・色相変換回路、１３４・・・彩度補正回路、１３５・・・色相補正回路、１３６・・・色差変換回路、１３７・・・ブライト補正回路、１３８・・・コントラスト補正回路、１３９・・・ガンマ補正回路、１３１０・・・ＲＧＢ変換回路、１３１１・・・色温度補正回路
【図１】
2009237373.tif 000004
【図２】
2009237373.tif 000005
【図３】
2009237373.tif 000006
【図４】
2009237373.tif 000007
【図５】
2009237373.tif 000008
【図６】
2009237373.tif 000009
【図７】
2009237373.tif 000010
【図８】
2009237373.tif 000011
【図９】
2009237373.tif 000012
【図１０】
2009237373.tif 000013
【図１１】
2009237373.tif 000014
【図１２】
2009237373.tif 000015
【図１３】
2009237373.tif 000016
【図１４】
2009237373.tif 000017
【図１５】
2009237373.tif 000018
【図１６】
2009237373.tif 000019
【図１７】
2009237373.tif 000020
【図１８】
2009237373.tif 000021
【図１９】
2009237373.tif 000022
【図２０】
2009237373.tif 000023
【図２１】
2009237373.tif 000024
【図２２】
2009237373.tif 000025
【図２３】
2009237373.tif 000026
【図２４】
2009237373.tif 000027
【図２５】
2009237373.tif 000028
【図２６】
2009237373.tif 000029
【図２７】
2009237373.tif 000030